(57)【特許請求の範囲】
【請求項１】
一次冷媒によって冷却される二次冷媒をメイン搬送ポンプで閉ループに循環させて当該閉ループに接続された複数のショーケースを冷却するショーケースの冷却システムにおいて、
前記閉ループを構成する管路に冷媒圧損の小さい複数のショーケースを並列に接続すると共に、冷媒圧損の小さい複数のショーケースの上流側管路及び／又は下流側管路に二次冷媒取込管路を介して冷媒圧損の大きいショーケースを接続し、前記二次冷媒取込管路にケース内搬送ポンプを接続したことを特徴とするショーケースの冷却システム。
【請求項２】
前記上流側管路に庫内温度が低いショーケースを接続し、前記下流側管路に庫内温度が高いショーケースを接続したことを特徴とする請求項１記載のショーケースの冷却システム。
【請求項３】
一次冷媒によって冷却される二次冷媒をメイン搬送ポンプで閉ループに循環させて当該閉ループに接続されたショーケースを冷却するショーケースの冷却システムにおいて、
前記閉ループを構成する管路に冷媒圧損の小さいショーケースとバイパス管路とを並列に接続すると共に、冷媒圧損の小さいショーケースの上流側管路及び／又は下流側管路に二次冷媒取込管路を介して冷媒圧損の大きいショーケースを接続し、前記二次冷媒取込管路にケース内搬送ポンプを接続したことを特徴とするショーケースの冷却システム。
【発明の詳細な説明】
【０００１】
【発明の属する技術分野】
本発明は、複数のショーケースを冷却する冷却システムに関する。
【０００２】
【従来の技術】
一般に、一次冷媒によって冷却される二次冷媒をメイン搬送ポンプで閉ループに循環させて当該閉ループに接続された複数のショーケースを冷却するショーケースの冷却システムが知られている。
【０００３】
この種のものでは、複数のショーケースの冷媒圧損の合計値に応じて二次冷媒のメイン搬送ポンプの容量が決定される。
【０００４】
【発明が解決しようとする課題】
しかしながら、従来の構成では、同一の閉ループに冷媒圧損の大きいショーケースと小さいショーケースとを接続する場合、すべての冷媒圧損の合計値に応じてメイン搬送ポンプの容量が決定されるため、メイン搬送ポンプが大型化し、ポンプの効率が悪化し、コストがかかるという問題がある。
【０００５】
そこで本発明の目的は、上述した従来技術が有する課題を解消し、メイン搬送ポンプを小型化し、ポンプの効率を上げ、製作コストを抑えることができるショーケースの冷却システムを提供することにある。
【０００６】
【課題を解決するための手段】
請求項１記載の発明は、一次冷媒によって冷却される二次冷媒をメイン搬送ポンプで閉ループに循環させて当該閉ループに接続された複数のショーケースを冷却するショーケースの冷却システムにおいて、前記閉ループを構成する管路に冷媒圧損の小さい複数のショーケースを並列に接続すると共に、冷媒圧損の小さい複数のショーケースの上流側管路及び／又は下流側管路に二次冷媒取込管路を介して冷媒圧損の大きいショーケースを接続し、前記二次冷媒取込管路にケース内搬送ポンプを接続したことを特徴とする。
【０００７】
請求項１記載の発明では、冷媒圧損の大きいショーケースを二次冷媒取込管路を介して閉ループに接続し、この二次冷媒取込管路にケース内搬送ポンプを接続したことによって、冷媒圧損の大きいショーケースにはこのケース内搬送ポンプを用いて二次冷媒が流される。従って、閉ループに二次冷媒を循環させるためのメイン搬送ポンプは、冷媒圧損の小さい複数のショーケースを基準にして容量を決定できるので、小型化することができる。
【０００８】
請求項２記載の発明は、請求項１記載の発明において、前記上流側管路に庫内温度が低いショーケースを接続し、前記下流側管路に庫内温度が高いショーケースを接続したことを特徴とする。
【０００９】
請求項２記載の発明では、上流側管路の二次冷媒の温度は低いので温度の低いショーケースを接続し、下流側管路の二次冷媒の温度は高いので温度の高いショーケースを接続することによりエネルギーを効率よく利用できる。
【００１０】
請求項３記載の発明は、一次冷媒によって冷却される二次冷媒をメイン搬送ポンプで閉ループに循環させて当該閉ループに接続されたショーケースを冷却するショーケースの冷却システムにおいて、前記閉ループを構成する管路に冷媒圧損の小さいショーケースとバイパス管路とを並列に接続すると共に、冷媒圧損の小さいショーケースの上流側管路及び／又は下流側管路に二次冷媒取込管路を介して冷媒圧損の大きいショーケースを接続し、前記二次冷媒取込管路にケース内搬送ポンプを接続したことを特徴とする。
【００１１】
請求項３記載の発明では、冷媒圧損の小さいショーケースとバイパス管路とを並列に設けたので、このバイパス管路の流量を調整することにより、閉ループを流れる冷媒の流量と温度とを調整できる。
【００１２】
【発明の実施の形態】
以下、本発明の一実施形態を図面に基づいて説明する。
【００１３】
図１において、１はショーケースの冷却システムの回路である。この回路１は冷凍装置３とメイン管路５とメイン搬送ポンプ７とを有しており、メイン管路５は閉ループを構成している。冷媒装置３は、圧縮機９と凝縮器１１と減圧装置１３と蒸発器１５とで構成される冷凍サイクルを備え、この冷凍サイクルにはフロン等の一次冷媒が循環される。この一次冷媒は、蒸発器１５で、メイン管路５内を循環する二次冷媒と熱交換し、この二次冷媒はメイン搬送ポンプ７によって矢印で示すようにメイン管路５内を循環する。二次冷媒にはブラインと呼ばれるプロピレングリコール、エチレングリコールまたはエタノールと水との混合物からなる不凍液が用いられている。
【００１４】
前記メイン管路５には3本の二次冷媒分流管路１９が並列に接続され、それぞれの二次冷媒分流管路１９には冷媒圧損の小さい冷却器３３を備えたショーケース３１が接続されている。
【００１５】
この実施形態では、メイン搬送ポンプ７の容量が冷媒圧損の小さい冷却器３３の合計値に応じて決定されている。
【００１６】
メイン管路５の上流側管路５ａには二次冷媒取込管路１７が接続され、この二次冷媒取込管路１７には、冷媒圧損が大きい冷却器２３を備え、かつ庫内温度が低い冷凍ショーケース２１が接続されると共に、下流側管路５ｂには二次冷媒取込管路１７が接続され、この二次冷媒取込管路１７には、冷媒圧損が大きい冷却器２７を備え、かつ庫内温度が高い冷蔵ショーケース２５が接続されている。そして、各ショーケース２１、２５の下流側に位置する二次冷媒取込管路１７にはケース内搬送ポンプ２９が設けられている。
【００１７】
次に、この実施の形態の動作を説明する。
【００１８】
前記冷凍装置３の圧縮機９の運転を開始すると冷凍サイクルによって一次冷媒が冷却され、蒸発器１５によって、一次冷媒と二次冷媒が熱交換されて、二次冷媒が冷却される。この二次冷媒がメイン搬送ポンプ７によってメイン管路５の上流側管路５ａに流出し、二次冷媒分流路１９を通じてショーケース３１の冷媒圧損の小さい冷却器３３に流入する。この冷却器３３によって図示しないショーケース３１の庫内が冷却され、この二次冷媒は二次冷媒分流路１９を通じてメイン管路５の下流側管路５ｂに循環される。
【００１９】
また、上流側管路５ａに流出した二次冷媒は、二次冷媒取込管路１７を介して、冷媒圧損が大きく、かつ庫内温度が低い冷凍ショーケース２１の冷却器２３に流入する。この冷却器２３によってショーケース２１の図示しない庫内は冷却される。この冷却器２３を通過後、二次冷媒は、ケース内搬送ポンプ２９によって上流側管路５ａに送り出される。
【００２０】
同様に、下流側管路５ｂに流出した二次冷媒は、二次冷媒取込管路１７を介して、冷媒圧損が大きく、かつ庫内温度が高い冷蔵ショーケース２５の冷却器２７に流入する。この冷却器２７によってショーケース２５の図示しない庫内は冷却される。この冷却器２５を通過後、二次冷媒は、ケース内搬送ポンプ２９によって下流側管路５ｂに送り出される。
【００２１】
この実施形態では、冷媒圧損の大きいショーケース２１、２５を二次冷媒取込管路１７を介して閉ループに接続し、この二次冷媒取込管路１７にケース内搬送ポンプ２９を接続したことによって、冷媒圧損の大きいショーケース２１、２５にはこのケース内搬送ポンプ２９を用いて二次冷媒が流される。
【００２２】
従って、閉ループに二次冷媒を循環させるためのメイン搬送ポンプ７は、冷媒圧損の小さい複数のショーケース３１を基準にして容量を決定することができるので、小型化することができる。
【００２３】
また、二次冷媒の温度が低い上流側管路５ａに比較的低温のショーケース２１が接続され、二次冷媒の温度が高い下流側管路５ｂに比較的高温のショーケース２５が接続されているので、エネルギー効率がよい。
【００２４】
更に、ショーケース２１、２５の下流側にケース内搬送ポンプ２９が接続されているので、このケース内搬送ポンプ２９を流れる二次冷媒は、冷却器２３、２５によって熱交換され温度上昇し、粘度が低くなっているので、ポンプの効率を向上させることができる等の効果を奏する。
【００２５】
次に、別の実施の形態を説明する。
【００２６】
図２に示す冷却システムの回路５１では、冷媒圧損の小さいショーケース３１と並列にバイパス管路５３が設けられ、このバイパス管路５３に流量調整弁５４が設けられている。
【００２７】
この実施形態では、流量調整弁５４の弁開度を調整することにより、バイパス管路５３の冷媒の流量を調整することで、閉ループを流れる冷媒の流量と温度とを調整することができる。
【００２８】
例えば、ショーケース３１の一方が除霜運転中には、このショーケース３１に流入する二次冷媒の流量を減少させる必要が生じる。この場合に前述したように流量調整弁５４の弁開度を大きくして、バイパス管路５３の冷媒の流量を増加させて、ショーケース３１に流入する二次冷媒の流量を減少させることができる。
【００２９】
【発明の効果】
請求項１記載の発明では、冷媒圧損の大きいショーケースを二次冷媒取込管路を介して閉ループに接続し、この二次冷媒取込管路にケース内搬送ポンプを接続したことによって、冷媒圧損の大きいショーケースにはこのケース内搬送ポンプを用いて二次冷媒が流される。従って、閉ループに二次冷媒を循環させるためのメイン搬送ポンプは、冷媒圧損の小さい複数のショーケースを基準にして容量を決定できるので、小型化することができる。
【００３０】
請求項２記載の発明では、上流側管路の二次冷媒の温度は低いので温度の低いショーケースを接続し、下流側管路の二次冷媒の温度は高いので温度の高いショーケースを接続することによりエネルギーを効率よく利用できる。
【００３１】
請求項３記載の発明では、冷媒圧損の小さいショーケースとバイパス管路とを並列に設けたので、このバイパス管路の流量を調整することにより、閉ループを流れる冷媒の流量と温度とを調整することができる。
【図面の簡単な説明】
【図１】本発明による冷却システムの一実施形態を示す回路図である。
【図２】本発明による冷却システムの他の実施形態を示す回路図である。
【符号の説明】
１  回路
３  冷凍装置
５  メイン管路
７  メイン搬送ポンプ
１７  二次冷媒取込管路
２１、２５、３１  ショーケース
２３、２７、３３  冷却器
２９  ケース内搬送ポンプ
５３  バイパス管路
【図１】
0003723368.tif 000002
【図２】
0003723368.tif 000003